(57)【要約】【課題】床面を挿通して設けられる配管が接続可能で、且つ、カウンターの床面からの高さが変更可能なカウンター付き給水装置を提供する。【解決手段】壁面８１に沿って設けられ、床面８０または壁面８１を挿通して設けられる配管２０が下方より接続可能な吐水部を備える。吐水部と床面８０との間に亘って設けられ、配管２０を覆う配管カバー２を備える。配管カバー２の上下方向の中間部に配置されるカウンター３を備える。配管カバー２に対して位置決めされた状態で壁面８１に固定される固定キャリア５と、固定キャリア５に対して上下位置が調整自在に固定され、カウンター３を支持する調整キャリア６を備える。キャリアを覆うキャリアカバー７を備える。【選択図】図１
2014210103.tif 000002
【特許請求の範囲】
【請求項１】
壁面に沿って設けられ、床面または前記壁面を挿通して設けられる配管が下方より接続可能な吐水部と、
前記吐水部と前記床面との間に亘って設けられ、前記配管を覆う配管カバーと、
前記配管カバーの上下方向の中間部に配置されるカウンターと、
前記配管カバーに対して位置決めされた状態で前記壁面に固定される固定キャリアと、
前記固定キャリアに対して上下位置が調整自在に固定され、前記カウンターを支持する調整キャリアと、
前記キャリアを覆うキャリアカバーと、
を備えることを特徴とするカウンター付き給水装置。
【請求項２】
前記配管カバーの前記カウンターが配置可能なカウンター配置部は、上下方向において前後の厚みが一定であることを特徴とする請求項１記載のカウンター付き給水装置。
【請求項３】
前記キャリアカバーは、上下の長さが前記配管カバーの上下の長さよりも短く形成され、前記配管カバーの上下端部の前記キャリアカバーから上下に突出可能な部分は、前後の厚みが一定であることを特徴とする請求項２記載のカウンター付き給水装置。
【請求項４】
前記配管カバーの上端部の前記キャリアカバーから上方に突出可能な部分は、前記配管カバーの下端部の前記キャリアカバーから下方に突出可能な部分よりも、前後の厚みが薄いことを特徴とする請求項３記載のカウンター付き給水装置。
【発明の詳細な説明】
【技術分野】
【０００１】
本発明は、カウンター付き給水装置に関するものである。
【背景技術】
【０００２】
浴室等の壁面に沿って設けられる吐水部と、吐水部の下方に設けられるカウンターと、カウンターの下側に設けられ、吐水部に接続される配管を覆う配管カバーと、を備えるカウンター付き給水装置が知られている（例えば特許文献１参照）。
【先行技術文献】
【特許文献】
【０００３】
【特許文献１】特開２０１１−６８８５号公報
【発明の概要】
【発明が解決しようとする課題】
【０００４】
この特許文献１に示される従来例にあっては、浴室等の床面を挿通して室内に導入される配管が接続されることは想定されておらず、このような場合には利用できないものであった。
【０００５】
また更に、カウンター付き給水装置において、使用者の身体に応じて、カウンターの床面からの高さが変更可能とされることが要望されている。しかしながら、特許文献１に示される従来例にあっては、カウンターの高さが変更できず、前記要望に応じることができないものであった。
【０００６】
本発明は上記従来の問題点に鑑みて発明したものであって、その目的とするところは、床面を挿通して設けられる配管が接続可能で、且つ、カウンターの床面からの高さが変更可能なカウンター付き給水装置を提供することを課題とするものである。
【課題を解決するための手段】
【０００７】
上記課題を解決するために、本発明のカウンター付き給水装置は、以下のような構成とする。
【０００８】
壁面に沿って設けられ、床面または前記壁面を挿通して設けられる配管が下方より接続可能な吐水部と、前記吐水部と前記床面との間に亘って設けられ、前記配管を覆う配管カバーと、前記配管カバーの上下方向の中間部に配置されるカウンターと、前記配管カバーに対して位置決めされた状態で前記壁面に固定される固定キャリアと、前記固定キャリアに対して上下位置が調整自在に固定され、前記カウンターを支持する調整キャリアと、前記キャリアを覆うキャリアカバーと、を備えることを特徴とする。
【０００９】
また、前記配管カバーの前記カウンターが配置可能なカウンター配置部は、上下方向において前後の厚みが一定であることが好ましい。
【００１０】
また、前記キャリアカバーは、上下の長さが前記配管カバーの上下の長さよりも短く形成され、前記配管カバーの上下端部の前記キャリアカバーから上下に突出可能な部分は、前後の厚みが一定であることが好ましい。
【００１１】
また、前記配管カバーの上端部の前記キャリアカバーから上方に突出可能な部分は、前記配管カバーの下端部の前記キャリアカバーから下方に突出可能な部分よりも、前後の厚みが薄いことが好ましい。
【発明の効果】
【００１２】
本発明にあっては、配管カバーが吐水部と床面との間に亘って設けられるため、床面を挿通して設けられる配管が吐水部に接続可能で、且つ、配管が覆われて露出し難いものである。また、固定キャリアに対して調整キャリアの上下位置が調整自在となるため、カウンターの床面からの高さが変更可能となるものである。
【図面の簡単な説明】
【００１３】
【図１】本発明の一実施形態におけるカウンター付き給水装置の分解斜視図である。
【図２】同上の実施形態における、浴室の壁面に取り付けられたカウンター付き給水装置を示し、（ａ）は正面図であり、（ｂ）は側面図であり、（ｃ）は斜視図である。
【図３】同上の実施形態における配管カバーを示し、（ａ）は前斜め上方より見た斜視図であり、（ｂ）は後斜め上方より見た斜視図である。
【図４】同上の実施形態における上カバーを示し、（ａ）は前斜め上方より見た斜視図であり、（ｂ）は後斜め上方より見た斜視図である。
【図５】同上の実施形態における下カバーを示し、（ａ）は前斜め上方より見た斜視図であり、（ｂ）は後斜め上方より見た斜視図である。
【図６】同上の実施形態におけるカウンターを示し、（ａ）は前斜め上方より見た斜視図であり、（ｂ）は後斜め下方より見た斜視図である。
【図７】同上の実施形態におけるキャリアの前斜め上方より見た斜視図であり、（ａ）は固定キャリアに対して調整キャリアが上方位置で固定された状態を示し、（ｂ）は固定キャリアに対して調整キャリアが下方位置で固定された状態を示す。
【図８】（ａ）は同上の実施形態における固定キャリアの前斜め上方より見た斜視図であり、（ｂ）は同上の実施形態における調整キャリアの前斜め上方より見た斜視図である。
【図９】同上の実施形態におけるキャリアカバーを示し、（ａ）は前斜め上方より見た斜視図であり、（ｂ）は後斜め上方より見た斜視図である。
【図１０】同上の実施形態における、浴室の壁面へのカウンター付き給水装置の取り付けを説明する図であり、（ａ）は床面に形成された挿通口を介して配管が浴室内に導入される場合の斜視図であり、（ｂ）は壁面に形成された挿通口を介して配管が浴室内に導入される場合の斜視図である。
【図１１】（ａ）（ｂ）は同上の実施形態における、浴室の壁面へのカウンター付き給水装置の取り付けを説明する斜視図である。
【図１２】（ａ）（ｂ）は同上の実施形態における、浴室の壁面へのカウンター付き給水装置の取り付けを説明する斜視図である。
【図１３】（ａ）は同上の実施形態における、浴室の壁面へのカウンター付き給水装置の取り付けを説明する斜視図であり、（ｂ）は特にキャリアカバーの配管カバーへの取り付けを説明する斜視図である。
【発明を実施するための形態】
【００１４】
以下、本発明のカウンター付き給水装置の一実施形態について添付図面に基いて説明する。
【００１５】
カウンター付き給水装置は、図１に示すように、吐水部１と、吐水部１に接続される配管２０を覆う配管カバー２と、カウンター３と、カウンター３を支持するキャリア４と、キャリア４を覆うキャリアカバー７と、を備えている。カウンター付き給水装置は、図２に示すように、浴室の壁面８１に取り付けられるものであるが、浴室以外（例えば浴槽のないシャワー室や洗面室等）の室内の壁面８１に取り付けられるものでもよく、以下、浴室の場合について説明する。
【００１６】
吐水部１は、図１に示すように、固定部材１１と、水栓装置１２と、操作部１３と、水栓カバー１４と、を備えている。固定部材１１は、浴室の壁面８１の床面８０から所定の高さ位置に固定されるもので、棒状部材や箱状部材や枠状部材、その他でもよく、特に限定されない。固定部材１１の壁面８１への固定は、ビスやボルト（とナット）からなる固着具等による固定や、接着剤による接着等、特に限定されない。本実施形態では、図示しないが、固着具による固定であり、固定部材１１の壁面８１に当接する固定部に固着孔が形成され、固着孔を介して固着具が壁面８１にねじ込まれて、固定部材１１が壁面８１に固定される。固定部からは、前方Ｆに向けて突出する、水栓装置１２を支持する支持部が設けられる。ここで、図１等に示すように、前方Ｆとは、壁面８１から浴室内方を向く方向をいい、後方Ｂとはその逆方向をいい、左方Ｌおよび右方Ｒは、後方Ｂを見た時の左方Ｌおよび右方Ｒをいうものとする。支持部は、棒状部材や枠状部材、その他でもよく、特に限定されない。
【００１７】
水栓装置１２は、図１に示すように、湯水混合水栓を含む既知の様々なものが適宜利用可能で、特に限定されない。本実施形態では、水栓は湯水混合水栓であり、更に、カランとシャワーの切り替えにより選択的に利用可能である。水栓装置１２は、ビスやボルト（とナット）等の固着具により、支持部に固定される。
【００１８】
この水栓装置１２には、浴室外からの配管２０が下方より接続されるもので、本実施形態では、水道等の給水源に接続される給水配管と、給湯器等の給湯源に接続される給湯配管の二本の配管２０が接続される。配管２０は、図１０（ａ）に示すように、床面８０に形成された挿通口８２を介して浴室内に導入されてもよいし、図１０（ｂ）に示すように、カウンター付き給水装置が設けられる壁面８１に形成された挿通口８３を介して浴室内に導入されてもよい。本実施形態では、図１０（ａ）に示すように、床面８０に形成された挿通口８２を介して浴室内に導入されている。
【００１９】
操作部１３は、図１に示すように、水栓装置１２に設けられ、水や湯の吐出／停止、吐出量の調節、温度の調節、カラン吐出口１２ａからの吐出とシャワー吐出口１２ｂからの吐出の切り替え、といった操作が行われるものである。なお、前記操作は一例であり、前記操作の全てが可能でなくてもよいし、前記以外の操作が可能であってもよい。本実施形態では、操作部１３は、水栓装置１２から前方Ｆに向けて突出するレバーからなり、複数のレバーが左右に並設されているが、押し釦等であってもよく、操作部１３の形態（レバー）や個数や配置等は限定されない。
【００２０】
水栓カバー１４は、図１に示すように、水栓装置１２を覆い、固定部材１１に固定されるもので、本実施形態では、ビスやボルト（とナット）等の固着具（不図示）により、固定部材１１の支持部に固定される。
【００２１】
本実施形態では更に、図１に示すように、水栓カバー１４の上側に上カウンター１５が設けられている。上カウンター１５は、水栓カバー１４の天板となり、その上面が物品の載置面となるように平坦に形成されているが、水栓カバー１４とは別に設けられてもよい。
【００２２】
配管カバー２は、図１乃至図３に示すように、床面８０と吐水部１との間に亘って設けられ、浴室内に露出する配管２０の前方Ｆおよび側方（左方Ｌおよび右方Ｒ）を覆うものである。配管カバー２の上下方向の長さは、床面８０から所定の高さ位置に取り付けられる吐水部１と床面８０との間の空間に収容されるように形成される。すなわち、配管カバー２の上下方向の長さは、吐水部１と床面８０との間に隙間が殆ど形成されない寸法が好ましいが、若干の隙間（配管２０が浴室内から見えない程度）が形成されてもよい。
【００２３】
本実施形態のカウンター付き給水装置は、上記のように、配管２０が、床面８０に形成された挿通口８２を介して浴室内に導入される場合と、壁面８１に形成された挿通口８３を介して浴室内に導入される場合の両方で利用可能である。そして、いずれの場合でも、配管２０を全て覆うことができて、浴室内に配管２０が露出し難いものである。
【００２４】
配管カバー２には、図３に示すように、カウンター３が配置可能なカウンター配置部２１と、キャリア４が配置されるキャリア配置部２２と、が形成される。本実施形態の配管カバー２は、上方、前方Ｆ、側方を覆い、後方Ｂと下方に開口する前後の厚みの薄い箱状をしたもので、上カバー２ａと下カバー２ｂとで構成されている。そして、カウンター配置部２１とキャリア配置部２２は、下カバー２ｂに形成されている。
【００２５】
上カバー２ａは、本実施形態では、図４に示すように、後方Ｂに開口する前後の厚みの薄い箱状をしたもので、左右の幅は一定である。上カバー２ａは、下半部の前後の厚みが一定で、上半部の前後の厚みは、下半部よりも厚く、上方へ行く程厚くなっているが、上カバー２ａの厚みは特に限定されない。上カバー２ａの上下の壁部には、配管２０が挿通される開口または切欠からなる挿通部２３が形成されている。また、上カバー２ａの背面（後側の面）には、補強のためのリブ２４が設けられているが、設けられなくても構わないものである。
【００２６】
下カバー２ｂは、本実施形態では、図５に示すように、後方Ｂと下方に開口する箱状をしたもので、左右の幅は一定で（但しキャリア配置部２２が形成されているくびれ部を除く）、上カバー２ａの左右の幅と同じに形成されている。下カバー２ｂの上側の壁部には、配管２０の挿通部２３が形成されている。下カバー２ｂの上から所定の長さまでの部分が、カウンター配置部２１となっている。
【００２７】
カウンター配置部２１は、前後の厚みが下側の部分よりも薄く、上カバー２ａの下半部の前後の厚みと同じに形成されている。また、下カバー２ｂの下から所定の長さまでの部分は、前後の厚みがカウンター配置部２１よりも厚い厚部２５となっている。また、カウンター配置部２１と厚部２５との間の部分は、厚みが連続的に変化する傾斜部２６となっている。なお、このような厚部２５や傾斜部２６は設けられなくても構わないものである。
【００２８】
キャリア配置部２２は、後述する固定キャリア５が配置される部分であり、本実施形態では、下カバー２ｂの上下方向の中間部の側辺に形成される、正面視略矩形状をした切欠で構成されるが、切欠でなく孔であってもよく、形状も特に限定されない。キャリア配置部２２の奥辺には側方に突出するフランジ２７が形成されており、フランジ２７に固着具挿通孔２７ａが形成されている。
【００２９】
また本実施形態では、下カバー２ｂ（本実施形態では厚部２５）の左右の側面に、突起部２８が設けられている。
【００３０】
また本実施形態では、下カバー２ｂに、引っ掛け部２９ａが設けられる。引っ掛け部２９ａは、カウンター配置部２１の上端部の背面側の左右両端の隅部と、厚部２５の上端部の背面側の左右両端の隅部と、に設けられている。引っ掛け部２９ａは、各隅部において、下方に突出する板状部材である。引っ掛け部２９ａは、壁面８１に取り付けられる、後述する引っ掛かり部２９ｂに引っ掛けられる。
【００３１】
カウンター３は、吐水部１の下方であって、配管カバー２の上下方向の中間部に設けられるものである。本実施形態では、図６に示すように、天板３１と、天板３１の前辺から垂下される前板３２と、天板３１の左右の辺から垂下される側板３３と、を備えている。天板３１は、平面視矩形状をしたもので、左右の幅は、配管カバー２の左右の幅よりも長く形成されている。天板３１には、後辺に、配管挿通部３４が形成されている。配管挿通部３４は、配管カバー２のカウンター配置部２１が挿通される部分で、天板３１の後辺の中間部に形成される、正面視略矩形状をした切欠で構成されるが、切欠でなく孔であってもよく、形状も特に限定されない。配管挿通部３４の前後の長さは、カウンター配置部２１の前後の厚みと略同じか若干短く形成される。
【００３２】
また本実施形態では、天板３１の下面に、補強のためのリブ３５が設けられているが、設けられなくても構わないものである。また本実施形態では、天板３１の下面に、固着孔３６が設けられるもので、下面の周縁部の六箇所に設けられているが、設けられる箇所や個数は限定されない。固着孔３６は、ビスからなる固着具（不図示）が強固に固定されるように、ナット部材（不図示）がインサート成形や接着等によりカウンター３に設けられ、このナット部材の雌ねじが固着孔３６として機能するのが好ましい。
【００３３】
カウンター３を支持するキャリア４は、図７に示すように、固定キャリア５と、調整キャリア６と、固定具４０と、を備えるものである。
【００３４】
固定キャリア５は、壁面８１に固定されるもので、本実施形態では、図８（ａ）に示すように、固定片５１と、側片５２と、を備えるものである。固定片５１は、本実施形態では、カウンター配置部２１となる切欠（フランジ２７を除く）と略同形同大の正面視略矩状の板状部材で構成されるが、形状は特に限定されない。固定片５１からは、前方Ｆに側片５２が突設されている。側片５２は、本実施形態では、側面視三角形状の板状部材で構成されるが、形状は特に限定されない。
【００３５】
固定片５１には、固着具挿通孔５３が設けられ、側片５２には、固着具挿通孔５４が設けられる。側片５２に設けられる固着具挿通孔５４は、本実施形態では、上下二段に形成され、上段は三個が前後に並設され、下段は二個が前後に並設されているが、段数や個数、配置は特に限定されない。
【００３６】
また、側片５２の上辺にはフランジ５５が設けられているが、フランジは設けられなくても構わないものである。
【００３７】
固定キャリア５は、左側のキャリア配置部２２に配置されるものと、右側のキャリア配置部２２に配置されるものの二種類があり、これらは、左右が反転した形状となっているが、その他の点は同じである。
【００３８】
調整キャリア６は、固定キャリア５に対して上下位置が調整自在に固定されるもので、本実施形態では、図８（ｂ）に示すように、天板６１と、天板６１の左右両辺より垂下される側板６２と、を備えるものである。天板６１は、本実施形態では、平面視において、カウンター３よりも小さい正面視略矩状の板状部材で構成される。天板６１の下面に、補強のためのリブが設けられてもよい。側板６２は、本実施形態では、側面視台形状の板状部材で構成され、固着具挿通孔６３が設けられる。固着具挿通孔６３は、本実施形態では、上下四段に形成され、最上段から、上から三段目までは各段に三個が前後に並設され、最下段は二個が前後に並設されているが、段数や個数、配置は特に限定されない。
【００３９】
キャリアカバー７は、キャリア４の前方Ｆおよび側方を覆うものである。本実施形態では、キャリアカバー７は、図９に示すように、前壁７１と、前壁７１の左右の辺から後方Ｂに連設される側壁７２と、前壁７１および側壁７２の上端縁から左右外側に連設される上フランジ７３と、を備える。キャリアカバー７の上下方向の長さは、配管カバー２の上下方向の長さよりも短く形成されており、カウンター付き給水装置は、キャリアカバー７の上下に配管カバー２が突出する状態となる。前壁７１は、上方へ行く程前方Ｆに位置するように傾斜している。上フランジ７３には、固着具挿通孔７４が設けられる。本実施形態では、固着具挿通孔７４は、カウンター３の固着孔３６に対応する、周縁部の六箇所に設けられているが、固着孔３６に対応していれば、設けられる箇所や個数は限定されない。また、本実施形態では、固着具挿通孔７４はボス孔となっているが、特に限定されない。
【００４０】
また本実施形態では、左右の側壁７２の後辺の内側に、突起部２８を受ける受け部７５が設けられているが、設けられなくても構わないものである。受け部７５は、上下を長手方向とする板状をした部材で構成される。
【００４１】
また本実施形態では、図２に示すように、前壁７１に、液剤の容器等の小物を保持するホルダー７６が設けられているが、設けられなくても構わないものである。  
【００４２】
上記のカウンター付き給水装置の壁面８１への取り付けについて、順に説明する。
【００４３】
まず、図１０（ａ）に示すように、床面８０に形成された挿通口８２を介して配管２０が浴室内に導入される。水栓装置１２が、浴室の壁面８１の床面８０から所定の高さ位置に取り付けられ、配管２０が水栓装置１２に接続される。なお、水栓装置１２の壁面８１への取り付け、配管２０の浴室内への導入、配管２０と水栓装置１２の接続は、いずれの順でもよい。
【００４４】
次に、図１０（ａ）に示すように、床面８０に引っ掛かり部２９ｂが取り付けられる。引っ掛かり部２９ｂは、正面視矩形状をしたもので、壁面８１に固定される固定部と、固定部から連設され、壁面８１から離間して位置する保持部と、を備えている。固定部には固着孔が形成され、固着孔を介してビス等の固着具が壁面８１にねじ込まれて、固定部が壁面８１に固定される。
【００４５】
次に、図１１（ａ）に示すように、保持部と壁面８１との間の隙間に、上方より下カバー２ｂの引っ掛け部２９ａが挿入され、下カバー２ｂが床面８０に載置される。これにより、下カバー２ｂが壁面８１に仮固定される。そして、フランジ２７の固着具挿通孔２７ａを介して、ビスやボルト（とナット）等の固着具（不図示）が壁面８１にねじ込まれて、下カバー２ｂが壁面８１に本固定される。
【００４６】
次に、図１１（ｂ）に示すように、下カバー２ｂの左右のキャリア配置部２２にそれぞれ、固定キャリア５が取り付けられる。固定キャリア５は、カウンター配置部２１と略同形同大に形成されているため、下カバー２ｂに対して位置決めがなされる。そして、固定片５１の固着具挿通孔５３を介して、ビスやボルト（とナット）等の固着具が壁面８１にねじ込まれて、固定キャリア５が壁面８１に取り付けられる。
【００４７】
次に、図１２（ａ）に示すように、調整キャリア６が固定キャリア５に取り付けられる。調整キャリア６には、上下に四段の固着具挿通孔６３が設けられており、このうち隣接するいずれかの二段の固着具挿通孔６３が、固定キャリア５に設けられた上下二段の固着具挿通孔５４と連通するように、両側の固定キャリア５間に配置される。そして、これら連通する固着具挿通孔６３、５４に、固定具４０を構成するボルトが挿通され、同じく固定具４０を構成するナットがボルトに螺着されて、調整キャリア６が固定キャリア５に取り付けられる。
【００４８】
図７（ａ）に、調整キャリア６の最下段および下から二段目の固着具挿通孔６３と、固定キャリア５の二段の固着具挿通孔５４が連通する状態を示す。また図７（ｂ）に、調整キャリア６の最上段および上から二段目の固着具挿通孔６３と、固定キャリア５の二段の固着具挿通孔５４が連通する状態を示す。また、図示しないが、調整キャリア６の中間の二段の固着具挿通孔６３と、固定キャリア５の二段の固着具挿通孔５４が連通する状態での固定も可能である。このようにして、調整キャリア６の固定キャリア５に対する上下位置が調整可能となっている。
【００４９】
次に、図１２（ｂ）に示すように、調整キャリア６上にカウンター３が載置される。カウンター３は、配管挿通部３４に配管カバー２（上カバー２ａ）が位置するようにして、後辺が壁面８１に沿わせられる。配管カバー２および配管挿通部３４の前後の長さは、厚部２５よりも薄く形成されており、できるだけ薄く形成されるのが好ましい。これにより、カウンター３の上面の有効面積が大きくなる。
【００５０】
次に、図１３（ａ）に示すように、キャリアカバー７がカウンター３に取り付けられる。これにあたり、図１３（ｂ）に示すように、下カバー２ｂの突起部２８がキャリアカバー７の受け部７５に当接する状態で、下カバー２ｂにキャリアカバー７が被嵌される。そして、キャリアカバー７の固着具挿通孔７４に、ビスからなる固着具（不図示）が下方より挿通され、カウンター３の固着孔３６に螺着されて、キャリアカバー７がカウンター３に取り付けられる。
【００５１】
キャリアカバー７は、上端部が固着具によりカウンター３に固定されるが、下端部は固着具により固定されない。このため、カウンター３に取り付けられたキャリアカバー７は、後方Ｂへの力がかかると下端部が後方Ｂへ移動しようとする。キャリアカバー７の後端縁が壁面８１に衝突すると、ガタつき音が発生するが、下カバー２ｂに設けられた突起部２８がキャリアカバー７に設けられた受け部７５に当接しているため、それ以上の移動が規制される。このため、ガタつき音の発生が抑制される。
【００５２】
次に、図２（ｃ）に示すように、上カバー２ａが吐水部１と下カバー２ｂの間に取り付けられる。上カバー２ａと下カバー２ｂの間やその他の必要箇所には、コーキング等の処理が施される。
【００５３】
上記カウンター付き給水装置においては、配管カバー２が吐水部１と床面８０との間に亘って設けられるため、配管２０が床面８０に形成された挿通口８２を介して浴室内に導入される場合でも、配管２０が覆われて浴室内に露出し難いものである。また、固定キャリア５に対して調整キャリア６の上下位置が調整自在となって、使用者の身体に応じて、カウンター３の床面８０からの高さが変更可能となるものである。
【００５４】
なお、本実施形態では、固定キャリア５の固着具挿通孔５４と、調整キャリア６の複数段のうち選択された段の固着具挿通孔６３とが連通して、固定具４０により固定されて、カウンター３の床面８０からの高さが段階的に変更可能となっている。これに対し、固定キャリア５と調整キャリア６の固着具挿通孔５４、６３のうち、少なくとも一方が上下に長い長孔で構成され、カウンター３の床面８０からの高さが連続的に変更可能とされてもよい。
【００５５】
また、本実施形態では、配管カバー２は、施工時の施工性や、施工後のメンテナンス性のため、上カバー２ａと下カバー２ｂとに分割されているが、分割されておらず一体でもよいし、三個以上に分割されていてもよい。
【符号の説明】
【００５６】
１    吐水部
１１  固定部材
１２  水栓装置
１２ａ  カラン
１２ｂ  シャワー
１３  操作部
１４  水栓カバー
１５  上カウンター
２    配管カバー
２ａ  上カバー
２ｂ  下カバー
２０  配管
２１  カウンター配置部
２２  キャリア配置部
２３  挿通部
２４  リブ
２５  厚部
２６  傾斜部
２７  フランジ
２７ａ  固着具挿通孔
２８  突起部
２９ａ  引っ掛け部
２９ｂ  引っ掛かり部
３    カウンター
３１  天板
３２  前板
３３  側板
３４  配管挿通部
３５  リブ
３６  固着孔
４    キャリア
４０  固定具
５    固定キャリア
５１  固定片
５２  側片
５３  固着具挿通孔
５４  固着具挿通孔
５５  上フランジ
６    調整キャリア
６１  天板
６２  側板
６３  固着具挿通孔
７    キャリアカバー
７１  前壁
７２  側壁
７３  上フランジ
７４  固着具挿通孔
７５  受け部
７６  ホルダー
８０  床面
８１  壁面
８２  挿通口
８３  挿通口
【図１】
2014210103.tif 000003
【図２】
2014210103.tif 000004
【図３】
2014210103.tif 000005
【図４】
2014210103.tif 000006
【図５】
2014210103.tif 000007
【図６】
2014210103.tif 000008
【図７】
2014210103.tif 000009
【図８】
2014210103.tif 000010
【図９】
2014210103.tif 000011
【図１０】
2014210103.tif 000012
【図１１】
2014210103.tif 000013
【図１２】
2014210103.tif 000014
【図１３】
2014210103.tif 000015